(57)【要約】【課題】フィールドを軽量化して、効率的に移動させるための植栽パネル及び競技場を提供する。【解決手段】競技場は、昇降可能なフィールド部と、スタンドと、スタンドの上方を覆う屋根とを備えている。フィールド部は、略直方体形状の本体部３０と支持部２５とを備える。本体部３０は、上に天然芝Ｇ１が植えられる人工土壌部３５と、人工土壌部の下端に配置された通気性のある透水シート３４と、排水基礎部３３と、受け板３１とを備える。人工土壌部３５は、水を通過可能とし、天然芝Ｇ１の根が絡むマイクロファイバーを備える。排水基礎部３３は、人工土壌部３５を下から支持し、水を通過可能とする合成樹脂で構成される。受け板３１は、排水基礎部３３の下に配置され放熱を行なう。【選択図】図２
2020202781.tif 000002
【特許請求の範囲】
【請求項１】
上部に植えられた植物の根が絡む構成材を備え、水が通過可能な人工土壌部と、
前記人工土壌部の下端に配置された通気性のある透水シートと、
前記人工土壌部を下から支持し、前記水を通過可能とする合成樹脂で構成された排水基礎部と、
前記排水基礎部の下で放熱を行なう受け板とを備えたことを特徴とする植栽パネル。
【請求項２】
請求項１に記載の植栽パネルにおいて、
前記人工土壌部から前記受け板を貫通して下方に突出し、外部から給水を行なう給水管に接続可能で、前記植物へと水を供給するための供給管を更に設けたことを特徴とする植栽パネル。
【請求項３】
請求項１又は２に記載の植栽パネルにおいて、
前記受け板は、前記排水基礎部の外周に向かって低くなる傾斜を有していることを特徴とする植栽パネル。
【請求項４】
請求項１〜３の何れか１項に記載の植栽パネルにおいて、
前記受け板の下面には、複数の梁部材が設けられており、
前記複数の梁部材の間には、照明が設けられていることを特徴とする植栽パネル。
【請求項５】
植栽パネルを備えた競技場において、
前記植栽パネルを上下又は水平に移動させる移動機構を備え、
前記植栽パネルは、
上部に植えられた植物の根が絡む構成材を備え、水が通過可能な人工土壌部と、
前記人工土壌部の下端に配置された通気性のある透水シートと、
前記人工土壌部を下から支持し、前記水を通過可能とする合成樹脂で構成された排水基礎部と、
前記排水基礎部の下で放熱を行なう受け板とを備えたことを特徴とする競技場。
【請求項６】
請求項５に記載の競技場において、
前記植栽パネルには、前記人工土壌部から前記受け板を貫通して下方に突出する供給管が更に設けられ、
前記供給管は、前記植物へと水を供給するために、外部の給水管と分離可能に接続し、
前記給水管が、前記供給管と接続可能となるように、前記移動機構による前記植栽パネルの移動前の位置及び移動後の位置に設けられていることを特徴とする競技場。
【発明の詳細な説明】
【技術分野】
【０００１】
本発明は、フィールドに用いられる植栽パネル及び競技場に関する。
【背景技術】
【０００２】
従来、サッカー、ラグビーや陸上競技等を行なうフィールドを、天然芝で構成したスタジアムがある。このようなスタジアムでは、周囲への観客騒音や天候に左右されない開催の目的のために、観客席の上部が、屋根で覆われているものがある。しかし、この屋根により、天然芝に供給される日射量が減り、天然芝を育成できないことがある。
【０００３】
そこで、天然芝を育成するために、スタジアムのフィールドを屋根の高さまで上昇させる技術が検討されている（例えば、特許文献１参照。）。特許文献１に記載されたスタジアムにおいては、フィールド可動部の周囲に、伸縮可能な架設用柱を配置し、屋根に、フィールド可動部を昇降するためのウインチを設ける。フィールドを使用しない場合には、架設用柱を伸長して、スタジアムの屋根に連結する。そして、フィールド保持部を、ウインチを用いて屋根の高さまで上昇させて、屋根に連結する。
【０００４】
更に、天然芝養生のためにフィールドを外に出し日照を確保するスタジアムが検討されている（例えば、非特許文献１参照。）。この非特許文献に記載された技術においては、野球やコンサート・展示会の開催においては、天然芝のステージを、水平方向に移動させて、スタジアムの外に出して芝を育成する。
【先行技術文献】
【特許文献】
【０００５】
【特許文献１】特開２０１４−１０５４４８号公報
【非特許文献】
【０００６】
【非特許文献１】札幌ドーム  「ドームを知る・お役立ち情報  ホヴァリングサッカーステージ」、［online］、［令和１年５月２日検索］、インターネット〈URL：https://www.sapporo-dome.co.jp/dome/hovering.html〉
【発明の概要】
【発明が解決しようとする課題】
【０００７】
特許文献１に示したように、芝生を育成するために、フィールドを屋根まで上昇させる場合には、フィールドを軽量にすることが望ましい。また、非特許文献１に記載した技術では、空気圧を用いてフィールドを浮かして水平方向に移動させる。この場合においても、円滑な移動のために、フィールドを軽量にすることが望まれている。
【０００８】
軽量化のためには、芝生が植えられる床土を薄くする必要がある。
そこで、天然芝の根が絡む繊維質を備えた人工土壌を、床土の上に配置して、床土を薄くすることが考えられる。しかし、この場合、人工土壌は床土よりも保水性がよいため、床土の上に水が滞留し、人工土壌から排水し難いという問題が発生する。
【課題を解決するための手段】
【０００９】
上記課題を解決する植栽パネルは、上部に植えられた植物の根が絡む構成材を備え、水が通過可能な人工土壌部と、前記人工土壌部の下端に配置された通気性のある透水シートと、前記人工土壌部を下から支持し、前記水を通過可能とする合成樹脂で構成された排水基礎部と、前記排水基礎部の下で放熱を行なう受け板とを備える。
【００１０】
上記課題を解決する競技場は、植栽パネルを備えた競技場において、前記植栽パネルを上下又は水平に移動させる移動機構を備え、前記植栽パネルは、上部に植えられた植物の根が絡む構成材を備え、水が通過可能な人工土壌部と、前記人工土壌部の下端に配置された通気性のある透水シートと、前記人工土壌部を下から支持し、前記水を通過可能とする合成樹脂で構成された排水基礎部と、前記排水基礎部の下で放熱を行なう受け板とを備える。
【発明の効果】
【００１１】
本発明によれば、フィールドを軽量化して、効率的に移動させることができる。
【図面の簡単な説明】
【００１２】
【図１】実施形態における競技場の構成を説明する概略断面図。
【図２】実施形態における植栽パネルの要部の断面図。
【図３】実施形態におけるフィールドを上昇させた状態における競技場の構成を説明する概略断面図。
【図４】実施形態における競技場の要部の斜視図であって、（ａ）はフィールドを上昇させる前、（ｂ）はフィールドを上昇させた状態を示す。
【発明を実施するための形態】
【００１３】
以下、図１〜図４を用いて、植栽パネル及び競技場を具体化した一実施形態を説明する。
図１に示すように、本実施形態の競技場１０は、植栽パネルとしての昇降可能なフィールド部２０と、スタンド１１と、スタンド１１の上方を覆う屋根１５とを備えている。なお、図１及び図３においては、図面を見やすくするために、正面のスタンド１１を省略している。
【００１４】
フィールド部２０は、略直方体形状の本体部３０と支持部２５とを備える。このフィールド部２０の上では、サッカー等の競技を行なう。本体部３０の構成の詳細については、後述する。
【００１５】
支持部２５は、フィールド部２０を支持する梁部材であり、例えばトラス構造の複数の梁部材によって構成される。この支持部２５の下面（梁部材の間）には、フィールド部２０を上昇させたときに、支持部２５の下方を照らすための複数の照明（図示せず）が設けられる。
【００１６】
スタンド１１は、フィールド部２０の周囲（四方）を囲むように複数、配置される。スタンド１１は、階段式の観客席であって、フィールド部２０側から外側になるにつれて高くなるように構成されている。
【００１７】
スタンド１１の外周上部には複数の屋根柱１６が配置されており、この屋根柱１６によって屋根１５が支持される。この屋根１５は、例えばトラス構造によって構成されており、スタンド１１の上方を覆うとともにフィールドの上方を開放する形状の固定屋根である。更に、屋根１５には、第１給水管（図示せず）が固定される。この第１給水管は、屋根１５まで上昇させたフィールド部２０の供給管に接続され、バルブを介してフィールド部２０に水を供給する。
【００１８】
更に、屋根１５のフィールド部２０側の端部には、フィールド部２０を昇降させるための昇降装置としてのウインチ（図示せず）が設けられる。このウインチの近傍の屋根１５部分には、上昇させたフィールド部２０を固定するための連結固定装置が設けられる。
【００１９】
（フィールド部２０の詳細構成）
図２に示すように、フィールド部２０の本体部３０は、支持部２５の上弦材２５ａの上に設けられている。この本体部３０は、受け板３１、断熱部３２、排水基礎部３３、透水シート３４及び人工土壌部３５を備え、これらが積層されて構成される。ここで、受け板３１、排水基礎部３３及び人工土壌部３５は、ほぼ同じ平面形状（長方形）を有する。
【００２０】
受け板３１は、本体部３０の下面を支持する。受け板３１は、凹凸が形成された鋼製の板で構成され、表面積を大きくすることにより、放熱板として機能する。更に、この受け板３１は、本体部３０の外周が低くなるように緩やかな傾斜をしている。
【００２１】
断熱部３２は、複数の小片の発泡スチロールで構成され、受け板３１の凹凸を埋めて上面が平らとなるように敷設される。この場合、断熱部３２の上面は、受け板３１の傾斜に応じて、本体部３０の外周が低くなるような傾斜を有する。そして、この断熱部３２の上に、排水基礎部３３が敷き詰められる。これにより、排水基礎部３３から流れ落ちた水は、断熱部３２及び受け板３１によって受け止められて、傾斜に沿ってフィールド部２０の外周に流出する。
【００２２】
排水基礎部３３は、合成樹脂で構成されたパレット形状のユニットで構成される。本実施形態では、排水基礎部３３として、Polypipe社製のPermavoid85（商品名）を用いる。Permavoid85（パーマボイド）は、ポリプロピレン製の厚さ85mmのプラスチックユニットである。この排水基礎部３３は、円筒形状の複数の支持部と、他のユニットと連結部材を介して連結するための連結部と、これらを上下左右及び斜めで接続する複数のフレーム部とを備える。このように、空隙を備える構成部材からなる排水基礎部３３は排水性に優れる。
排水基礎部３３の間には、複数の暗渠排水部３３ａが、隙間をおいて（例えば５ｍ間隔毎に）配置されている。この暗渠排水部３３ａは、例えば、グリーンマスターズ清水製のハイテクカンキョウドレーン（商品名）ＨＴＣＤを２列配置し、その上にネットブリッジフィルタＦ１を配置した構成を用いる。このネットブリッジフィルタＦ１として、黒曜石パーライトを用いることにより、更に軽量化を図っている。
【００２３】
透水シート３４は、不織布で構成され、人工土壌部３５の底面を覆う。この透水シート３４は、人工土壌部３５の構成材が流出しないように、排水基礎部３３と人工土壌部３５との間に配置される。
【００２４】
人工土壌部３５は、排水基礎部３３の上に透水シート３４を介して配置される。人工土壌部３５の周囲は、高さ１４０ｍｍ程度であって、板で囲まれる。更に、人工土壌部３５の上には、天然芝Ｇ１が植えられる。人工土壌部３５は、水を通過可能とする繊維質の材料を備える。本実施形態では、人工土壌部３５として、Natural Grass社製のAirFibr（登録商標）を用いる。このAirFibr（エアーファイバー）は、マイクロファイバー（人工繊維）、炭化コルク粒及び細かい硅砂を混合して構成される。このため、人工繊維、炭化コルク粒及び硅砂が、人工土壌部３５の構成材である。このエアーファイバーは、天然芝Ｇ１の根がマイクロファイバーに絡み合って芝生を強化し、硅砂と炭化コルク粒は泥濘化せずに毛細管現象による保水力によって、必要な水分と栄養分を天然芝Ｇ１の根を通じて天然芝Ｇ１に吸収させる。
【００２５】
更に、フィールド部２０の本体部３０には、複数の供給管３６が間隔をおいて配置されている。この供給管３６は、天然芝Ｇ１に給水するために用いる。供給管３６は、受け板３１〜人工土壌部３５を貫通しており、上端部には散水機ヘッド（図示せず）を備える。更に、この供給管３６の下部は、受け板３１よりも下方に突出し、水平方向に屈曲して、フィールド部２０の端部まで延在する。そして、この供給管３６の端部の近傍には、バルブ３６ａが設けられる。
供給管３６は、フィールド部２０を降下させた位置では第２給水管４１に接続され、フィールド部２０を上昇させた位置では第１給水管に接続される。第２給水管４１には、供給管３６との接続部の近傍に、バルブ４１ａが設けられる。
【００２６】
更に、フィールド部２０の本体部３０の外周には、排気溝３７が設けられる。排気溝３７には、緩衝材３７ａが配置されている。この排気溝３７は、排水基礎部３３を通過し、受け板３１からの熱を取得した空気を排気する。
排気溝３７の下方には、排水溝３８が設けられている。この排水溝３８は、受け板３１の外周部まで延在するように形成されている。
【００２７】
（フィールド部２０の作用）
図１及び図４（ａ）に示すように、フィールド部２０を降下させた状態においては、フィールド部２０の上で、天然芝Ｇ１を用いた競技を行なう。フィールド部２０が降下した位置においては、供給管３６は第２給水管４１に接続され、バルブ３６ａ，４１ａを開く。そして、この位置において、必要に応じて、供給管３６の上端部から天然芝Ｇ１の上に水を散布する。散布された水は、フィールド部２０の人工土壌部３５、透水シート３４、排水基礎部３３及び断熱部３２を介して、受け板３１の上に到達する。そして、この水は、受け板３１の傾斜に応じてフィールド部２０の本体の外周に流出する。
【００２８】
＜天然芝Ｇ１の育成＞
そして、天然芝Ｇ１の全面に日光を照射する場合には、図３及び図４（ｂ）に示すように、フィールド部２０を上昇させる。
【００２９】
具体的には、まず、バルブ３６ａ，４１ａを閉じて、供給管３６と第２給水管４１とを分離する。次に、屋根１５に固定したウインチのロープを降下させて、フィールド部２０に掛止する。そして、各ウインチのモータを回転駆動してロープを巻き取ることにより、フィールド部２０を屋根１５の高さまで上昇させる。次に、屋根１５に設けた連結固定装置（図示せず）を用いて、フィールド部２０を屋根１５に連結して固定する。そして、フィールド部２０の供給管３６を、屋根１５に固定された第１給水管に接続する。
【００３０】
この場合、フィールド部２０の下方でイベントを行なうことも可能である。イベントを行なう場合には、フィールド部２０の受け板３１の下に設けた照明を用いる。この場合には、フィールド部２０の天然芝Ｇ１の全面に日光を照射しながら、バルブ３６ａ及び第１給水管のバルブを開いて、第１給水管及び供給管３６を介して、適宜、天然芝Ｇ１に水を供給する。この場合、屋根の位置に天然芝Ｇ１を配置しているので、芝生育成に必要な通風性を確保することができる。
【００３１】
フィールド部２０を降下させる場合には、連結固定装置を取り外して、フィールド部２０と屋根１５との連結固定を解除する。そして、各ウインチのモータを回転駆動して、フィールド部２０を降下させる。フィールド部２０が着地した場合、各ウインチのロープをフィールド部２０から取り外し、ロープを巻き上げる。
【００３２】
本実施形態によれば、以下のような効果を得ることができる。
（１）本実施形態のフィールド部２０の本体部３０は、天然芝Ｇ１が植えられる人工土壌部３５と、透水シート３４を介して配置された排水基礎部３３とを備える。人工土壌部３５は、水を通過可能とし、天然芝Ｇ１の根が絡むマイクロファイバーを備える。排水基礎部３３は、人工土壌部３５を下から支持し、水を通過可能とする合成樹脂で構成される。これにより、床土を省略してフィールド部２０の厚みを薄くした構成においても、排水基礎部３３が人工土壌部３５を支持し、人工土壌部３５により天然芝Ｇ１を定着させて、フィールド部２０を軽量化することができる。この場合、人工土壌部３５から排水基礎部３３に排水できるため、人工土壌部３５における水はけを向上させることもできる。
【００３３】
（２）本実施形態のフィールド部２０の本体部３０は、排水基礎部３３の下に、放熱を行なう受け板３１を備える。更に、受け板３１の下には照明が設けられる。上昇させたフィールド部２０の下方でイベントを行なった場合、照明や集客によって熱が発生する。この場合にも、受け板３１において放熱して、人工土壌部３５への熱の伝達を抑制し、天然芝Ｇ１の温度上場を抑制することができる。
【００３４】
（３）本実施形態のフィールド部２０の本体部３０は、排水基礎部３３と受け板３１との間に断熱部３２を配置する。これにより、断熱部３２を介して、人工土壌部３５の上の天然芝Ｇ１への熱の伝達を抑制することができる。
【００３５】
（４）本実施形態の受け板３１は、外周に向かって傾斜している。これにより、排水基礎部３３からの水を本体部３０の外周に排出することができる。
（５）本実施形態のフィールド部２０の本体部３０は、フィールド部２０（人工土壌部３５）の外周に排気溝３７を設ける。これにより、排水基礎部３３を換気して、排気溝３７にて排熱できる。
【００３６】
（６）本実施形態のフィールド部２０の本体部３０は、受け板３１〜人工土壌部３５を貫通する供給管３６を備える。供給管３６の水平方向を人工土壌部３５に埋設した場合には、その分、天然芝Ｇ１の根を張る領域を確保するために人工土壌部３５を厚くする必要がある。そこで、供給管３６の水平方向の配管を本体部３０の下に露出させることにより、フィールド部２０の厚みを薄くして、フィールド部２０をより軽くすることができる。
【００３７】
（７）本実施形態のフィールド部２０の供給管３６は、フィールド部２０が上昇した位置においては、第１給水管に接続される。このため、天然芝Ｇ１の育成のために、フィールド部２０を上昇させた状態で、供給管３６を用いて給水することができる。
【００３８】
本実施形態は、以下のように変更して実施することができる。本実施形態及び以下の変更例は、技術的に矛盾しない範囲で互いに組み合わせて実施することができる。
・上記実施形態のフィールド部２０は、透水シート３４を介して人工土壌部３５の下に排水基礎部３３を配置した。人工土壌部３５と排水基礎部３３との積層構造は、透水シート３４を介した構造に限られない。例えば、人工土壌部３５からの水はけをよくできるのであれば、人工土壌部３５の下で排水基礎部３３と上に、薄い床土を配置した構造であってもよい。
【００３９】
・上記実施形態では、人工土壌部３５としてエアーファイバーを用いた。人工土壌部３５としてエアーファイバーを用いる場合に限られず、天然芝Ｇ１の根が絡み合い、かつ天然芝Ｇ１に水分と栄養分を供給でき、従来の床土よりも厚みを薄くできる構成材を有する人工的な土壌であればよい。
【００４０】
・上記実施形態では、排水基礎部３３としてパーマボイドを用いた。排水基礎部３３の構成材は、パーマボイドに限られず、人工土壌部３５を下から支持し、人工土壌部３５から流出した水をそのまま通過可能とする合成樹脂で構成された部材であればよい。
【００４１】
・上記実施形態のフィールド部２０の受け板３１は、排水のために外周が低くなるような傾斜で構成される。受け板３１の構成は、この構成に限定されず、凹凸がない平坦な板形状で構成してもよいし、中央に水を集めて排水する構成にしてもよい。
【００４２】
・上記実施形態では、フィールド部２０の外周に排気溝３７を設けた。フィールド部２０の排熱機構は、これに限られない。例えば、冷風装置を、排水基礎部３３や受け板３１の側方や、排気溝３７の下方や上方に配置して、強制的に冷風を流してもよい。
【００４３】
・上記実施形態において、フィールド部２０を上昇させた。この状態で、芝のメンテナンスを実行してもよい。例えば、屋根１５の近傍に、芝のメンテナンスに用いる車両を走行させる機構を設けてもよいし、メンテナンス用の倉庫を設けてもよい。後者の場合には、屋根１５において、フィールド部２０を上昇させた位置における芝のメンテナンスに必要な資材の取り出しを容易に行なうことができる。
【００４４】
・上記実施形態では、フィールド部２０を、屋根１５まで上昇させて固定した。フィールド部２０を昇降させて固定する位置（高さ）は、これに限定されない。この場合、任意の高さまで昇降可能な昇降機構と、任意の高さでフィールド部２０を固定する固定部材とを設けてもよい。例えば、下に人が入れる高さまで上昇させて固定してもよいし、フィールド部２０をスタンド１１の途中の高さまで上昇させて固定させてもよい。前者の場合には、フィールド部２０の下部（受け板３１等）のメンテナンスを効率的に行なうことができる。また、後者の場合には、フィールド部２０の上で競技を行ない、フィールド部２０の下でイベント等を行なってもよい。この場合には、フィールド部２０の上で行なう競技を見るための観客席に至る通路と、下で行なうイベント等を見るための観客席に至る通路を分けてもよい。
【００４５】
・上記実施形態では、屋根１５に設けたウインチでフィールド部２０を昇降した。フィールド部２０を昇降する機構は、これに限られない。例えば、フィールド部２０の下方にジャッキや架設用柱等を配置し、これらを昇降させてフィールド部２０を昇降させてもよい。
【００４６】
・上記実施形態では、フィールド部２０を上下方向に移動させた。フィールド部２０を移動させる方向は上下方向に限られず、水平方向に移動させてもよい。
【符号の説明】
【００４７】
Ｆ１…ネットブリッジフィルタ、Ｇ１…天然芝、ＨＴＣＤ…ハイテクカンキョウドレーン、１０…競技場、１１…スタンド、１５…屋根、１６…屋根柱、２０…フィールド部、２５…支持部、２５ａ…上弦材、３０…本体部、３１…受け板、３２…断熱部、３３…排水基礎部、３３ａ…暗渠排水部、３４…透水シート、３５…人工土壌部、３６…供給管、３６ａ，４１ａ…バルブ、３７…排気溝、３７ａ…緩衝材、３８…排水溝、４１…第２給水管。
【図１】
2020202781.tif 000003
【図２】
2020202781.tif 000004
【図３】
2020202781.tif 000005
【図４】
2020202781.tif 000006